(57)【要約】      （修正有）【課題】ガイドピンに邪魔されることなく魚の口から釣り針を外すことができるようにすること。また初心者にも容易に練り餌を釣り針に取り付けることができるようにすることにある。【解決手段】練り餌を吐出可能であって吐出口の径Ａを２ｍｍとしたノズル３と、胴部外径Ｃを１ｍｍとしたガイドピン２であって、長さＥを３ｍｍとした概略円錐形の先端部２ｂを有するガイドピン２を、 先端が吐出口を超える距離Ｄを０．７ｍｍとしてピン保持部７に取り付け、ノズル３とピン保持部７の中心間距離Ｆを６２ｍｍとし、ガイドピンの先端部２ｂ付近の一部をノズル凹部３ｂに接触させて取り付ける。ノズル３とピン保持具７の中間においてベース板６に径１７ｍｍの口穴６ｈを明け、ベース板６の縁から口穴６ｈまで連結するスリット６ｆと傾斜縁部６ｇを設けた餌取付装置１とする。【選択図】図１
0003130921.tif 000002
【実用新案登録請求の範囲】
【請求項１】
練り餌を吐出可能なノズルと、釣り針を引っ掛けて移動させるためのガイドピンと、前記ガイドピンを保持するピン保持部とを有する餌取付装置において、前記ノズルの吐出口の径を１．５〜２．５ｍｍとし、前記ノズルと前記ピン保持部の中心間距離を５０〜７０ｍｍとし、前記ガイドピンの胴部外径を０．８〜１．２ｍｍとし、
前記ノズルが練り餌を吐出する方向（以下単に「吐出方向」という。）に対して前記ガイドピンは直角に近い角度で交差するものとし、前記ガイドピンは前記ノズルの中心を横切って前記吐出口を越えるよう配置し、前記ガイドピンの先端が前記吐出口を越える距離を０．５〜１ｍｍとし、ガイドピンの先端部は概略円錐形状を有するものとし、前記ガイドピンの先端部の長さを３〜５ｍｍとし、
前記ノズルの先端部に前記ガイドピンの胴部の概略半分が入る窪みであるノズル凹部を設け、前記ノズル凹部に前記ガイドピンの一部を接触させて取り付け可能に構成したことを特徴とする餌取付装置。
【請求項２】
請求項１に記載した餌取付装置であって、練り餌を吐出可能なポンプと、練り餌の吐出と停止を切り替える切替機構を有することを特徴とする餌取付装置。
【請求項３】
請求項２に記載した餌取付装置であって、手動式のポンプと手動式の切替機構を有するものとし、前記切替機構が切替弁と切替操作部とからなるものとし、前記切替操作部が前記切替弁に取り付けたアームを押棒で押すことにより前記切替弁を開く構成であって、前記アームを押し返すバネを設けた切替操作部であることを特徴とする餌取付装置。
【請求項４】
請求項１〜３のいずれかに記載した餌取付装置をベース板に取り付け、その吐出方向が前記ベース板に対して概略直角になるようにし、前記ベース板の表面からノズル先端までの距離を５〜７ｍｍのいずれかの寸法として固定し、ガイドピンのピン保持部への取り付け中心と前記ベース板の表面との距離を５〜１０ｍｍの間で調節可能に取り付けたことを特徴とする餌取付装置。
【請求項５】
請求項４に記載したいずれかの餌取付装置であって、吐出方向から見てノズルとピン保持具の中間位置に、ガイドピンの中心に合わせてベース板に径１５〜２０ｍｍの口穴を明け、釣り糸を通過させることが可能な切り欠きであって前記ベース板の縁から前記口穴まで連結するスリットを設け、前記ベース板の縁には前記スリットまで釣り糸を導くための傾斜縁部を設けたことを特徴とする餌取付装置。
【請求項６】
請求項５に記載したいずれかの餌取付装置であって、吐出方向から見てベース板が概略半円形状又は概略半楕円形状を有するものとし、前記ベース板の円弧又は楕円弧の縁の部分は吐出方向と反対側に折れ曲がった折曲縁部を有し、前記折曲縁部にタモ網の柄を通すための柄用凹部とタモ網の口輪を取り付けるための網取付具を設けたことを特徴とする餌取付装置。
【考案の詳細な説明】
【技術分野】
【０００１】
本考案は魚釣りにおいて、釣った魚を釣り針から外す作業と釣り針に練り餌を取り付ける作業を、魚や練り餌に触れることなく初心者でも容易に行うことを可能にした装置に関するものである。
【背景技術】
【０００２】
従来には、釣り上げた魚を手で掴むことなく容易に釣り針を外すことができ、釣り針に対して迅速に餌を付着させることのできる釣針外し兼餌付け機の発明があった（例えば、特許文献１、２参照。）、しかしこれらの発明は、釣り針は通過可能であるが魚の口部は通過しない針通過口を有するため、釣った魚の口を板の下側に当てた状態で板の上側から釣り針を外す作業を行うことになり、魚の口から釣り針を外す作業は容易ではない問題があった。さらに針通過口の上に針掛けピンがあるため、針掛けピンが魚の口から釣り針を外す作業の邪魔になる問題があった。
また、特許文献１の発明では針掛けピンの位置調整ができない問題があるとして、同一の出願人が針掛けピンの先端位置を上下及び水平方向に調整自在にした特許文献２の発明を出願しているが、針掛けピンの先端位置を上下及び水平方向に調整自在にしたとしても、最適な位置が不明な状態では使用者に試行錯誤の調節の負担を強いるだけで、初心者が適切に練り餌を釣り針に取り付けられない問題を有していた。
また特許文献２の発明に「釣り針の先曲がりの部位が餌押出口上にある塊状の練り餌を引っ掻く」とあるが、塊状の練り餌を引っ掻くだけでは練り餌の間の切断が困難なため、熟練者はともかく初心者には適切な練り餌の取り付けができない問題があった。
練り餌の間の切断を確実に行う発明として、釣り針誘導線条の自由端側を練り餌の放出口の上を横切るように構成した発明があった（例えば、特許文献３参照。）、しかしかかる発明では練り餌を確実に切断することはできても、切断した練り餌を釣り針に自動的に取り付けることはできないため、切断した練り餌が釣り針に取り付かずに落下してしまう問題があった。
【特許文献１】特開２０００−３４２１４５号公報
【特許文献２】特開２００１−３５２８８５号公報
【特許文献３】特開２００４−２２２６６６号公報
【考案の開示】
【考案が解決しようとする課題】
【０００３】
本考案は上記した従来技術の問題を解決するためになされたもので、その目的とするところは釣った魚の口を板の上のガイドピンまで引き上げ可能な構成として、ガイドピンに邪魔されることなく魚の口から釣り糸を外すことができるようにすることにある。
また練り餌を吐出するノズルの形状とガイドピンの先端形状の関係及び両者の相対的な位置関係、練り餌を吐出するノズルとガイドピンを保持するピン保持部の中心間距離の関係、ガイドピンの胴部外径などについて最適な構成を明確にして、初心者にも容易に使用することのできる餌取付装置を提供することにある。
【課題を解決するための手段】
【０００４】
ノズルと、釣り針を引っ掛けた状態で釣り糸を引くことにより釣り針をスライドさせてノズル先端へ移動させるためのガイドピンと、ガイドピンを保持するピン保持部とからなる餌取付装置をベース板に取り付ける。
そしてノズルとピン保持具の中間位置に、ガイドピンの中心に合わせてベース板に口穴を明けて、釣った魚の口がガイドピンに触れるまでベース板から出るようにする。またベース板の縁から口穴まで連結するスリットを設け、ベース板の縁にはスリットまで吊り糸を導くための傾斜縁部を設けた餌取付装置とする。
さらにノズルの吐出口の径を適切な寸法とし、ノズルとピン保持部の中心間距離とガイドピンの胴部外径の関係を最適なものとし、ノズルが練り餌を吐出する方向（以下単に「吐出方向」という。）に対してガイドピンは直角に近い角度で交差するようにする。
またガイドピンはノズルの中心を横切って吐出口を越えるよう配置し、ガイドピンの先端が吐出口を越える距離を最適な寸法とし、ガイドピンの先端部を適切な円錐形状を有するものとする。
またノズルの先端部にガイドピンの胴部の概略半分が入る窪みであるノズル凹部を設け、ノズル凹部にガイドピンの先端部又は先端部近くの胴部の一部を接触させて取り付けることを可能にした餌取付装置とする。
【考案の効果】
【０００５】
釣った魚の口が板の上のガイドピンに接触するまで引き上げ可能な構成としたので、ガイドピンに邪魔されることなくまた魚を手で掴むことなく、容易に魚の口から釣り糸を外すことができるようになった。
さらに練り餌を吐出するノズルの形状とガイドピンの先端形状の関係及び両者の相対的な位置関係、練り餌を吐出するノズルとガイドピンを保持するピン保持部の中心間距離の関係、ガイドピンの外径などについて最適な構成を明確にしたので、初心者にも容易に使用することのできる餌取付装置を提供することができた。
【考案を実施するための最良の形態】
【０００６】
練り餌を吐出可能なノズルと、釣り針を引っ掛けて移動させるためのガイドピンと、前記ガイドピンを保持するピン保持部とを有する餌取付装置において、ノズルの吐出口の径を１．５〜２．５ｍｍとし、ノズルとピン保持部の中心間距離を５０〜７０ｍｍとし、ガイドピンの胴部外径を０．８〜１．２ｍｍとし、吐出方向に対してガイドピンは直角に近い角度で交差するものとし、ガイドピンはノズルの中心を横切って吐出口を越えるよう配置し、ガイドピンの先端が吐出口を越える距離を０．５〜１ｍｍとし、ガイドピンの先端部は概略円錐形状を有するものとし、ガイドピンの先端部の長さは３〜５ｍｍとし、ノズルの先端部にガイドピンの胴部の概略半分が入る窪みであるノズル凹部を設け、ノズル凹部にガイドピンの一部を接触させて取り付け可能にした餌取付装置とする。
魚釣りに使用する道具であるため使用する材料は錆びにくい材料が好ましい。ガイドピンにはステンレス鋼を使用することが好ましいが、ノズルやピン保持部はステンレス鋼、アルミ合金、合成樹脂などを使用することが可能である。
ノズルから練り餌を吐出可能にする構成には、練り餌チューブの注出部を直接ノズルに取り付けてチューブを押すことによりノズルから練り餌を吐出させる構成がある。また手動ポンプと手動の切替機構とからなる構成や、電動ポンプと電磁バルブとからなる構成もあり、練り餌を吐出可能にする構成についてはとくにこだわるものではない。
ガイドピンは釣り針を引っ掛けた状態で釣り針をガイドして、釣り人が釣り糸を引いたときに釣り針をノズルに向かって移動させる機能を有するだけでなく、その先端部回りをノズルから吐出した練り餌が包んだ状態で、釣り針において釣り糸が結ばれるところ（以下単に「ちもと」という。）から最も遠いところ（以下単に「ボトム」という。）がノズル先端とガイドピンの間を通過するときに、ガイドピンを包む練り餌がガイドピンから離れやすい形状にする必要がある。
試行錯誤の実験の結果、ガイドピンの先端部の形状を概略円錐形状として先端部の長さを３〜５ｍｍにすると、釣り針のボトムで練り餌を切断すると同時にガイドピンを包む練り餌がガイドピンから離れて、自然に釣り針のボトムに取り付くようになった。
【０００７】
ガイドピンの剛性が弱い場合は、釣り針のボトムがノズルとガイドピンの間を通過するときの、ガイドピンの先端部のたわみが大きくなるため練り餌の切れが悪く、練り餌が垂れ下がった状態になるので適切でない。またガイドピンの剛性が強すぎる場合は、釣り糸を通過させるときの抵抗が大きく作業性が悪くなる。
試行錯誤の実験の結果、ノズルとピン保持部の中心間距離が５０ｍｍのときはガイドピンの外径を０．８〜１ｍｍとし、ノズルとピン保持部の中心間距離が６０ｍｍのときはガイドピンの外径を０．９〜１．１ｍｍとし、ノズルとピン保持部の中心間距離が７０ｍｍのときはガイドピンの外径を１〜１．２ｍｍとすることが好ましかった。
また適切な大きさの練り餌を釣り針に取り付けるためには、ノズルの吐出口の径をガイドピンの外径に合わせることが必要で、ガイドピンの外径が０．８ｍｍのときは吐出口の径を１．５〜２ｍｍとし、ガイドピンの外径が１ｍｍのときは吐出口の径を１．８〜２．２ｍｍとし、ガイドピンの外径が１．２ｍｍのときは吐出口の径を２〜２．５ｍｍとすることが好ましかった。
またノズルの先端にガイドピンの胴部の概略半分が入る窪みであるノズル凹部を設けて、ガイドピンの先端がノズルの中心から外れないようにした。ガイドピンの先端部付近の一部がノズル凹部に接触するようにして取り付けるが、使用を繰り返すに従いガイドピンの先端部がノズル凹部から離れるようになる。
そのような状態では練り餌の切れが悪くなるので、ガイドピンの先端部付近をノズル凹部に押し付けるようにして取り付けたり、ガイドピンの中心位置を調節可能に取り付けることが好ましい。吐出方向に対してガイドピンは８５〜９５度の直角に近い角度で交差すればよく、５度の角度があれば５ｍｍ程度の調節距離を得ることが可能である。
ガイドピンはノズルの中心を横切って吐出口を越えることが必要である。これはガイドピンの外周を練り餌で包んだ状態にするためである。また試行錯誤の実験を行った結果ガイドピンの先端が吐出口を越える距離を０．５〜１ｍｍとした場合が好ましかったからである。
【０００８】
上記した餌取付装置であって、練り餌を吐出可能なポンプと、練り餌の吐出と停止を切り替える切替機構を有する餌取付装置とする。
練り餌チューブの注出部を直接ノズルに取り付ける構成では、初心者が毎回適量の練り餌をノズルから吐出させることが困難だからである。手動式のポンプと手動式の切替機構とからなる構成としたり、電動ポンプと電磁バルブとからなる自動式の構成とすることが可能である。
上記した餌取付装置であって、手動式のポンプと手動式の切替機構を有するものとし、切替機構が切替弁と切替操作部とからなるものとし、切替操作部を切替弁に取り付けたアームを押棒で押すことにより切替弁を開く構成とし、さらにアームを押し返すバネを設けた切替操作部とした餌取付装置とする。
電動式のポンプや電磁バルブを取り付けると複雑で壊れやすく高価なものとなるため、手動式にすることにより単純で壊れにくく安価なものとしたものである。
手動式のポンプとしては、シリンダーの中に練り餌とピストンを封入して、ピストンに連結したオスネジ付きシャフトとシリンダーのフタに設けたメスネジとの間でネジ対偶を構成し、オスネジ付きシャフトに取り付けたノブを手で回すことにより、ピストンで練り餌を押して練り餌の圧力をあげるポンプが好ましい。
また手動式の切替機構としては、切替弁を栓を回転することにより開閉するコック式の切替弁とし、スライド可能な押棒と切替弁の栓に取り付けたアームとバネを設けて、押棒を手で押したときにその先端部がアームを押して切替弁を開き、バネの反発力によりアームと押棒を押し返して切替弁を閉じる構成とすることが好ましい。
上記したいずれかの餌取付装置をベース板に取り付け、その吐出方向がベース板に対して概略直角になるようにし、ベース板の表面からノズル先端までの距離を５〜７ｍｍのいずれかの寸法として固定し、ガイドピンのピン保持部への取り付け中心とベース板の表面との距離を５〜１０ｍｍの間で調節可能に取り付けた餌取付装置とする。
本考案はガイドピンのピン保持部への取り付け中心とベース板の表面との距離を当初は１０ｍｍにして取り付け、このときにガイドピンの先端部付近がノズル凹部を押して接触するよう、ガイドピンの中心が先端に向かうにつれてベース板の表面に段々近づくように構成したものである。
そして使用した後であって練り餌の切れが悪くなったときに、ガイドピンのピン保持部への取り付け中心とベース板の表面との距離を縮めて、再びガイドピンの先端部付近がノズル凹部を押して接触するように調節することにより練り餌の切れを回復し、ガイドピンのピン保持部への取り付け中心とベース板の表面との距離の調節を何回も繰り返すことを可能な構成にしたものである。
【０００９】
上記したいずれかの餌取付装置であって、吐出方向から見てノズルとピン保持具の中間位置に、ガイドピンの中心に合わせてベース板に径１５〜２０ｍｍの口穴を明け、吊り糸を通過させることが可能な切り欠きであってベース板の縁から口穴まで連結するスリットを設け、ベース板の縁にはスリットまで釣り糸を導くための傾斜縁部を設けた餌取付装置とする。
口穴を１５〜２０ｍｍとしたのはオイカワ、ウグイ、アマゴ、ヤマメなどの川魚を釣り上げ、ベース板の下から魚の口を出してガイドピンに当てることが可能なサイズだからである。また魚の口をガイドピンに当てたときに、魚の頭から胴の部分の内のいずれかが口穴に押さえられた状態になって魚が自由に動くことができず、釣り針を外すことが容易になるからである。
スリットは釣り糸が通過するサイズであれば構わないが、あまり幅が広いと口穴で魚の胴を押さえる効果がなくなるので、５ｍｍを越えない幅とすることが好ましい。またスリットの片側又は両側においてベース板の縁に傾斜縁部を設け、傾斜縁部により釣り糸をガイドしてスリットに導くようにする。
ベース板は木材、竹を編んだものなど自然材を使用したり、合成樹脂やＦＲＰなどとすることが好ましい。またステンレス鋼やアルミ合金など錆びにくい金属材料とすることも可能である。
また上記したいずれかの餌取付装置であって、吐出方向から見てベース板が概略半円形状又は概略半楕円形状を有するものとし、ベース板の円弧又は楕円弧の縁の部分は吐出方向と反対側に折れ曲がった折曲縁部を有し、折曲縁部にタモ網の柄を通すための柄用凹部とタモ網の口輪を取り付けるための網取付具を設けた餌取付装置とする。
タモ編みの口輪は円形状や円に近い楕円形状をしている場合が多いので、吐出方向から見たベースの縁の形状を円形状や円に近い楕円形状にすることが好ましい。またタモ網の口輪の径は２００〜３００ｍｍのサイズが多いことから、タモ網の口輪の半分程度の面積のベース板とすれば餌取付装置を構成することが可能だからである。
ベース板の円弧又は楕円弧の部分に折曲縁部を設けたのは、板厚を薄くしても剛性を得ることが可能であり、折曲縁部の内側にタモ網の口輪を取り付けるためである。吐出方向から見て折曲縁部の中央付近に柄用凹部を設けてタモ網の柄を通すようにする。
柄用凹部にはスポンジやゴムなどを取り付けて柄用凹部とタモ網の柄との間の隙間を埋めたり、緩衝材として互いに傷が付かないようにすることが好ましい。またひも、テープ、マジックテープ（登録商標以下同じ）又はバックル付きバンドなどを使用して、柄用凹部とタモ網の柄を縛るよう構成することが好ましい。
折曲縁部にはタモ網の口輪を取り付けるための網取付具を設ける。網取付具はクリップのようなものでタモ網の口輪の一部を挟んだり、パッチン錠やトグルクランプなどを使うなど、タモ網の口輪の一部をベース板に固定して取り付けるものであればどんな構成でも構わない。
【実施例１】
【００１０】
以下本考案の実施例を図に示して説明する。本実施例の餌取付装置１は概略半円形状のベース板６に、表面６ａ側に吐出方向を向けてベース板６を直角に貫通させて取り付けたノズル３と、吐出方向に対して概略直角に交差するガイドピン２と、ガイドピン２を保持するピン保持部７を取り付けた餌取付装置１である。
ノズルの吐出口の径Ａを２ｍｍとし、ベース板の表面からノズル先端までの距離Ｂを６ｍｍとし、先端部にガイドピン２の胴部２ｃの半分が入る窪みであるノズル凹部３ｂを設け、吐出方向から見てノズル凹部３ｂがノズルの先端の片端から他端まで貫通するようにした。
ノズルとピン保持部の中心間距離Ｆを６２ｍｍとし、ガイドピン２は非磁性体のステンレス鋼を使用して、ガイドピンの胴部外径Ｃをφ１ｍｍとした。ガイドピンの先端部２ｂを概略円錐形状とし、ガイドピンの先端部の長さＥを４ｍｍにした。またガイドピンの先端２ａがノズルの吐出口３ａを越えるようにして、ガイドピンの先端が吐出口を越える距離Ｄを０．７ｍｍとした。
ピン保持部７はいずれの部品もステンレス鋼からなるものとし、ガイドピン２を溶接して取り付けたオスネジを有する支持棒２１を、ベース板６を貫通させた状態にしてベース板６の両側からナット２２で締めて固定する構成とした。ガイドピンのピン保持部への取り付け中心とベース板の表面との距離Ｇは５〜１０ｍｍの間で調節可能である。
当初に組み付けるときはガイドピンのピン保持部への取り付け中心とベース板の表面との距離Ｇを１０ｍｍとし、このときガイドピンの先端部２ｂ付近の一部がノズル凹部３ｂを押して接触するように、ガイドピン２の中心が先端２ａに向かうにつれてベース板の表面６ａに段々近づくように構成した。
ベース板６はＦＲＰとし、円弧形状の縁を裏面側に折り曲げてなる折曲縁部６ｃを設け、ノズル３とピン保持部７の中間位置にφ１７ｍｍの口穴６ｈを明け、口穴６ｈと直線縁部６ｅとを結ぶ幅２ｍｍのスリット６ｆを直線縁部６ｅに対して直角に設け、スリット６ｆの直線と直線縁部６ｅとが作る２カ所の直角の交点の内のピン保持部７側の角を斜めに切り取って傾斜縁部６ｇを設けた。
このときスリット６ｆと口穴６ｈの両方の中心線を一致させ、スリット６ｆと口穴６ｈの共通の中心線が、傾斜縁部６ｇを設ける前の状態における、ベース板６の半円形状を２等分するように配置した。
【００１１】
ベース板の裏面６ｂ側にはポンプ５と、切替弁４ａと切替操作部４ｂとからなる切替機構４を取り付け、ポンプ５の吐出口からエルボ型の導管１１を経て切替弁４ａに連結し、さらに切替弁４ａとノズル３を連結した。
ポンプ５はシリンダ１２と、シンリンダ１２の中に取り付けたピストン１３と、メスネジ１４ａを有するシリンダのフタ１４と、オスネジ部１５ｂとノブ１５ａを有するシャフト１５からなるものとし、メスネジ１４ａとオスネジ部１５ｂとがネジ対偶を構成するようにした。
ポンプ５のシリンダ１２とベース板の裏面６ｂとの間にはスポンジの緩衝材１７を置き、ポンプ止具１６でシリンダ１２を押さえ、２組のボルト１８とナット１９でポンプ止具１６を固定することによりポンプ５をベース板の裏面６ｂに取り付けた。
切替弁は中の栓３０が回転することにより開閉するコック式の切替弁４ａとし、栓の端部３０ａにアーム３５の片端を取り付けた。アーム３５の他端は押棒３１に取り付けたリング部３１ｂを貫通させた。栓の端部３０ａにはバネ３４を取り付けバネ３４の片方の端部は栓の端部３０ａに固定し、バネの他方の端部３４ａを伸ばしてアーム３５の中間部をベース板６に向かって押すように構成した。
またベース板６を貫通させて、円筒形状の内面を有するガイド３２を取り付け、ガイド３２の中をスライド可能な状態にして押棒３１を取り付けた。押棒３１の表面６ａ側の端部にはボタン状の頭部３１ａを取り付け、押棒３１の裏面６ｂ側の端部にはリング部３１ｂを取り付けた。
ベース板の裏面６ｂには口穴６ｈと切替弁４ａの中間位置にマグネット９を取り付けた。スリット６ｆと口穴６ｈの共通の中心線を延長した先の折曲縁部６ｃに断面半円形の柄用凹部６ｄを設けて、内側にゴム板２８を接着剤を使用して取り付け、外側にはマジックテープ２７を取り付けた。
また、折曲縁部６ｃの裏面側の２か所に網取付具２５を取り付けた。網取付具２５はステンレスの薄い板を二重に折り曲げてボルト２３とナット２４で固定したもので、外側の板２５ｂをまっすぐにして、内側の板の途中を折り曲げて空間２５ａを作り、空間２５ａにはスポンジ２６を接着剤を使用して取り付け、内側の板の先端２５ｃを内側に曲げた形状にした。
【００１２】
本実施例の餌取付装置１を使用する前に、ポンプのシリンダ１２の中に練り餌２９を封入した後に、餌取付装置１をタモ網１０に取り付ける。このときタモ網の柄１０ａを柄用凹部６ｄに挿入してゴム板２８に接触させ、タモ網の口輪１０ｂを網取付具２５の外側の板２５ｂと空間２５ａの間にはめ込み、マジックテープ２７でベース板の柄用凹部６ｄとタモ網の柄１０ａを縛って固定する。
餌取付装置装置１を使用するときはベース板の表面６ａを上にする。通常の釣り人はタモ網の柄１０ａをズボンのベルトに差し込むことにより、ベース板の表面６ａを上にして体に取り付けて使用すると考えられる。
切替操作部４ｂの押棒３１を押し込むと、アーム３５が傾いて切替弁の栓３０が開く、この状態でポンプのノブ１５ａを回すとピストン１３が前進して練り餌２９を押すため、練り餌２９は導管１１、切替弁４ａを通ってノズル３の先端まで届く。
練り餌２９がノズル３の先端まで届いたときに押棒３１を放すと、バネ３４の反力でアーム３５と押棒３１は押し返されて切替弁の栓３０が閉じる。切替弁の栓３０が閉じた状態でポンプのノブ１５ａをさらに回すとピストン１３が前進して練り餌２９に圧力をかけることができる。
ピストン内の練り餌２９に圧力をかけた状態で、押棒３１を少し押すと少量の練り餌２９がノズル３の先端から吐出し、押棒３１を深く押すにつれて段々ノズル３の先端から吐出する練り餌２９の量が増加するので、釣り針に付ける練り餌２９の量に応じて適宜押棒３１を押すことによりノズル３から練り餌２９を吐出させる。
本実施例では１度シリンダ内の練り餌２９に圧力をかけると３〜５回は押棒３１を押すだけで必要な練り餌を吐出させることができる。押棒３１を押しても練り餌２９を吐出しなくなった場合は、再度ポンプのノブ１５ａを回してシリンダ内の練り餌２９に圧力をかけて使用する。
ノズル先端にノズル凹部３ｂを設け、ノズル凹部３ｂにガイドピンの先端部２ｂ付近の一部を押し付けるようにしてガイドピン２を取り付けたので、ノズル３の先端から吐出した練り餌２９はガイドピンの先端部２ｂを包む。
【００１３】
釣り針８のちもと８ａ近くにおいて釣り糸３７を指でつまんでベースの表面６ａに近づけるとマグネット９により釣り針８が引きつけられる。この状態で釣り糸３７を引くことにより強い風が吹いたときでも、釣り針のボトム８ｂをガイドピン２に容易に引っ掛けることができる。
釣り針のボトム８ｂをガイドピン２に引っ掛けた状態で、釣り針のボトム８ｂがガイドピン２から離れないように少しガイドピンに向かって引きながら、ちもと８ａ付近でつまんだ釣り糸３７をガイドピンの先端２ａに向かって素早く引くと、釣り針のボトム８ｂがノズル３の先端とガイドピンの先端部２ｂの間を通過しながら、練り餌２９を切断すると共にガイドピンの先端部２ｂを包む部分であって、図６（ｂ）において斜線を施した部分の練り餌２９をはぎ取り、釣り針のボトム８ｂに練り餌２９が取り付けられる。
魚３６が釣れたときは釣り糸３７を持ってタモ網の開口部１０ｃから魚３６をタモ網１０に入れて吊り下げた状態にして、釣り糸３７を傾斜縁部６ｇに沿ってスリット６ｆに向かって移動させると、釣り糸３７は自然にスリット６ｆに導かれるので、スリット６ｆを通って口穴６ｈまで移動させる。
口穴６ｈに釣り糸３７が入った状態で釣り糸３７を引き上げると、魚３６は口穴６ｈから口３６ａを出してガイドピン２に口３６ａが接触する。さらに魚３６の頭から胴の部分の内のいずれかが口穴６ｈに押さえられた状態になっているので、魚３６は自由に動くことができない。
この状態で図８のＬ方向に釣り糸３７を押すと、釣り針のボトム８ｂはＭ方向に回転して針先８ｃを魚３６から外すことができる。釣り針８から魚３６を外した後は上記した手順で練り餌２９を釣り針８に取り付けて再び魚釣りを楽しむことができる。このように釣り人は練り餌２９にも魚３６にも手を触れることなく魚を釣ることができる。
【産業上の利用可能性】
【００１４】
本考案は釣り道具を製造販売する産業以外にも、練り餌を販売するサービスや釣り人に宿泊サービスを提供する産業及び釣り堀のサービスを提供する産業などでも利用できる。
【図面の簡単な説明】
【００１５】
【図１】吐出方向から見た餌取付装置の正面図である。
【図２】餌取付装置の背面図である。
【図３】図２のＪ−Ｊ視断面図である。
【図４】図２のＫ−Ｋ視断面図である。
【図５】吐出方向から見たノズルとガイドピンの先端部の部分拡大図である。
【図６】図５のＬ−Ｌ視断面図（ａ）及び釣り針のボトム８ｂが練り餌２９を切り取る状態を表した図５のＬ−Ｌ視断面図（ｂ）である。
【図７】餌取付装置にタモ網を取り付けた状態の正面図である。
【図８】魚の口から釣り針を外すときの状態を表した断面図である。
【符号の説明】
【００１６】
１  ：餌取付装置            ２  ：ガイドピン            ２ａ：先端
２ｂ：先端部                ２ｃ：胴部                  ３  ：ノズル
３ａ：吐出口                ３ｂ：ノズル凹部            ４  ：切替機構
４ａ：切替弁                ４ｂ：切替操作部            ５  ：ポンプ
６  ：ベース板              ６ａ：表面                  ６ｂ：裏面
６ｃ：折曲縁部              ６ｄ：柄用凹部              ６ｅ：直線縁部
６ｆ：スリット              ６ｇ：傾斜縁部              ６ｈ：口穴
７  ：ピン保持部            ８  ：釣り針                ８ａ：ちもと
８ｂ：ボトム                ８ｃ：針先                  ９  ：マグネット
１０  ：タモ網              １０ａ：柄                  １０ｂ：口輪
１０ｃ：タモ網の開口部      １１  ：導管                １２  ：シリンダ
１３  ：ピストン            １４  ：フタ                １４ａ：メスネジ
１５  ：シャフト            １５ａ：ノブ                １５ｂ：オスネジ部
１６  ：ポンプ止具          １７  ：緩衝材              １８  ：ボルト
１９  ：ナット              ２１  ：支持棒              ２２  ：ナット
２３  ：ボルト              ２４  ：ナット              ２５  ：網取付具
２５ａ：空間                ２５ｂ：外側の板            ２５ｃ：先端
２６  ：スポンジ            ２７  ：マジックテープ      ２８  ：ゴム板
２９  ：練り餌              ３０  ：栓                  ３０ａ：栓の端部
３１  ：押棒                ３１ａ：頭部                ３１ｂ：リング部
３２  ：ガイド              ３４  ：バネ                ３４ａ：他方の端部
３５  ：アーム              ３６  ：魚                  ３６ａ：口
３７  ：釣り糸
Ａ：ノズルの吐出口の径          Ｂ：ベース板の表面からノズル先端までの距離
Ｃ：ガイドピンの胴部外径        Ｄ：ガイドピンの先端が吐出口を越える距離
Ｅ：ガイドピンの先端部の長さ    Ｆ：ノズルとピン保持部の中心間距離
Ｇ：ガイドピンのピン保持部への取り付け中心とベース板の表面との距離
【図１】
0003130921.tif 000003
【図２】
0003130921.tif 000004
【図３】
0003130921.tif 000005
【図４】
0003130921.tif 000006
【図５】
0003130921.tif 000007
【図６】
0003130921.tif 000008
【図７】
0003130921.tif 000009
【図８】
0003130921.tif 000010